(57)【要約】      （修正有）【課題】純正日除けに容易に固定可能で、日除けシートの引出巻上げもワンタッチで可能で、遮光範囲の横幅・上下幅を自在に調節可能で、さらに最大に拡げることで、サイドウインド全体を覆うことができ、フロントガラス全体の日除けも可能にした自動車用補助日除けを提供する。【解決手段】自動車フロント部分の既存の純正日除けパネル２００に、着脱可能な固定手段を設けた日除けで、横方向にスライド仮固定可能な上下２段の箱１０、２０の内部に引出巻上げ可能なロール式カーテン４１，４２を内蔵してすることで遮光できる範囲を調節することができる自動車用補助日除け。【選択図】図１
0003119898.tif 000002
【実用新案登録請求の範囲】
【請求項１】
自動車フロント部分の既存の純正日除けパネルに、着脱可能な固定手段を設けた日除けで、横方向にスライド仮固定可能な上下２段の箱の内部に引出巻上げ可能なロール式カーテンを内蔵した自動車用補助日除け。
【考案の詳細な説明】
【技術分野】
【０００１】
本考案は自動車運転時または、駐車時に支障をきたす日光を遮光するための自動車用補助日除けに関する。
【背景技術】
【０００２】
従来の技術として特許文献1のように、ロール式カーテンを取り付け、スライド可能な１枚の日除けシートで遮光を行うものがある。
【０００３】
【特許文献１】特開２００３−０７２３６７号公報
【考案の開示】
【考案が解決しようとする課題】
【０００４】
特許文献１では、１枚の日除けシートをスライドさせて遮光させるので、日除けシートの横幅分のみを遮光可能な為、サイドウインドから日光が入射した場合、顔の辺りは遮光できるが、腕の辺りが遮光できず、完全に遮光できていなかった。
【課題を解決するための手段】
【０００５】
上記の課題を解決するため、自動車フロント部分の既存の純正日除けパネルに、着脱可能な固定手段を設けた日除けで、横方向にスライド仮固定可能な上下２段の箱の内部に引出巻上げ可能なロール式カーテンを内蔵することで遮光できる範囲を自在に調節することができる自動車用補助日除けを考案した。
【考案の効果】
【０００６】
本考案に係る自動車用補助日除けは、従来の技術の特許文献１にはできなかった、純正日除けに容易に固定可能で、スライド仮固定な上下２段の箱の内部に引出巻上げ可能なロール式カーテンを内蔵しており、日除けシートの引出巻上げもワンタッチで可能なので、遮光範囲の横幅・上下幅を自在に調節可能で、さらに最大に拡げることで、サイドウィンド全体を覆うことができ、また助手席側にも運転席と対照的な造りの自動車用補助日除けを取付ける事で、フロントガラス全体の日除けも可能にした自動車用補助日除けを考案した。
【０００７】
特許文献１では必要な、日除け手袋やフロントガラス全体を覆う日除けシートが不要になった。
【考案を実施するための最良の形態】
【０００８】
以下、本考案に係る自動車用補助日除け300を図1に示し、実施例に従って詳細に説明する。
【０００９】
本考案に係る自動車用補助日除け300の、着脱可能な固定手段の構造は、伸縮性があるゴム素材からなるバンド11の両端部にマジックテープ（登録商標）6を結合しており、自動車用補助日除け300の上段収納箱10とバンド11の結合方法は、自動車用補助日除け300の両端から数cm内側に位置し、図1に示したように接着剤5かビス止め、またはバンド11を通す為の穴を上下に2ヶ所設け、そこを通す等して接合する。バンド11の長さは、純正日除け200を包み、重なりを十分に取り、その重なるマジックテープ（登録商標）6の接着部分の強化として、縦方向に数ｃｍ間隔でホック止め・ビス止め等も可能である。
【００１０】
横方向にスライド仮固定可能な上下２段の箱10,20の構造は、上下2分割された四角の箱であり、収納箱10,20の下端部の純正日除けシート200側に日除けシートを通すための細長い開口部9を設けてあり（図参照）、上段収納箱10と下段収納箱20の上端部と下端部には、スライドレール7が形成されており、上段収納箱10の上部外端に凹形状のスライドレール7を設け、下段収納箱20の上部外端には、凸形状のスライドレール7を設けており、下段収納箱20の下端部には、凹形状、上段収納箱10の下端部には凸形状のスライドレール7が設けてある。
【００１１】
また上段収納箱10と下段収納箱20の中心接合部30の下段収納箱20側には円形の突起物40が半円突き出る形で設置されており、突起物40の内部にはスプリングが内蔵されている為、上下可動し、上段収納箱10側（突起物40の上部）には、上記の突起物の半円が納まるへこみが数mm又は数cm間隔で横方向に形成されているので、スムーズかつ、車の揺れ等で動かないスライド仮固定動作を可能にした。
【００１２】
下段収納箱20の下端外部に設けたスライドフック60は、スライド時の指を引っ掛ける部分なので、丸型・四角・棒型等も可能である。
【００１３】
上段日除けシートフック31、下段日除けシートフック32はＴ字の様な断面形状であるが、摘んで引っ張りやすく、車の揺れの際に運転者に当たることを防止する為にサイドウインド2（図3）とドア本体のすき間に入れることが可能なものであれば良い。
【００１４】
上段収納箱10と下段収納箱20の一面（純正日除け200の反対側）には鏡やメモ帳など貼り付けることができ、収納箱10,20の内部空間に、電球と電池等を内蔵することでライトとして、また小物入れ等としても利用可能である。
【００１５】
上記の収納箱10,20、突起物40、スライドフック60、日除けシートフック31,32の材質としては、プラスチック・アクリル樹脂等、軽量かつ、製造加工が容易で車内温度が上昇しても変形しにくいものである。出来上がり寸法は純正日除け200位の大きさで、車種により若干の違いがあり、スライド可動させ拡げるとサイドウインド2（図3）横幅・フロントガラス1(図3)の横幅中心部までスライド可能な大きさは必要である。
【００１６】
引出巻上げ可能なロール式カーテン（巻き取りロール41,42）の構造については、巻き取りロール41,42の中枢軸50の一端に固着して、日除けシート51,52を巻き取るゼンマイバネと、このゼンマイバネの弾力性を抑止する歯車と、この歯車による抑止を解除する解除部材からなる巻き取り構造（図示せず）を設けるものとしても良い。
【００１７】
具体的には、日除けシート51,52を引出し、止めると歯車が抑制して停止する、巻き取らせる際は一度、数ｃｍ引出すと歯車による抑止を解除する解除部材が働き、巻取りを始める構造である。また、巻取り構造としては、上記のもの以外に手動のもの、スプリングに代えてゴム等の伸縮材を使用したもの、電動モーターにより作動させるものであってもよい。
【００１８】
日除けシート51,52の素材については、メッシュ地、不織物、織布、編物、透明または、半透明なプラスチックフィルムまたは、太陽光反射材等を用いることができる。また、運転者がサイドミラーを目視するのに、支障をきたす部分は透明な素材を使用することもできる。日除けシート51,52の長さは、引出した際に、サイドウインド2の縦の長さ、フロントガラス1の縦の長さを超えるものである。
【００１９】
本考案に係る自動車用補助日除け300の取扱い方法は図2に示すように、使用時にはフロント部の純正日除けパネル200を下方に引き起こし、サイドウィンド2側に回動させる。そして、日除けパネル300内に組み込まれたスライド可能な下段収納箱20の端に設けたスライドフック60に指を掛け、後部座席側にスライドさせたのち、上段収納箱10の下端部にある上段日除けシートフック31をつまんで、上段日除けシート51を下方に引き下げ、同様に下段収納箱20の下端部にある下段日除けシートフック32を摘んで、下段日除けシート52を下方に引き下げることで、サイドウィンド2の全体を覆い、サイドウィンド2からの光の入射を確実に遮ることが可能である。この上段日除けシート51,下段日除けシート52の巻き取り部分である上段巻き取りロール41,下段巻き取りロール42はロール式カーテンのワンタッチ式になっており引き下げ幅・巻き取り幅はワンタッチで操作可能である。また、この上段日除けシート51, 下段日除けシート52が独立した形状をしていることで、運転時にサイドミラーを目視するのに支障をきたす部分は上段日除けシート51の引き下げ幅を調節することでサイドミラーの目視に支障をきたさない様にすることも可能である。さらに、図3に示すように、この自動車用補助日除け300をフロントガラス1側で下段収納箱20をスライドさせ、拡げることにより、駐車時等は、フロントガラス1の半面を覆うことも可能で、すなわち助手席にも自動車補助日除け300を取り付けることで、フロントガラス1全体を覆うことも可能にした。
【００２０】
自動車用補助日除け300を収納する際は、前記の手順に対して、逆の手順を採ることにより、図4に示すようにコンパクトに収納可能である。
【図面の簡単な説明】
【００２１】
【図１】本考案に係る自動車用補助日除けの断面を示した図である。
【図２】図1に係る自動車用補助日除けのサイドウインド側での使用状態を示した図である。
【図３】本考案に係る自動車用補助日除けをフロントガラス側で使用した状態を示した図である。
【図４】本考案に係る自動車用補助日除けを収納した状態を示した図である。
【符号の説明】
【００２２】
1    フロントガラス
2    サイドウインド
5    接着剤
6    マジックテープ（登録商標）
7    スライドレール
9    開口部
10  上段収納箱
11  取付けバンド
20  下段収納箱
30  収納箱10,20の中心接合部
31  上段日除けシートフック
32  下段日除けシートフック
40  突起物
41  上段巻き取りロール
42  下段巻き取りロール
50  中枢軸
51  上段日除けシート
52  下段日除けシート
60  スライドフック
200  純正日除けパネル
300  自動車用補助日除け
【図１】
0003119898.tif 000003
【図２】
0003119898.tif 000004
【図３】
0003119898.tif 000005
【図４】
0003119898.tif 000006